(57)【要約】      （修正有）【課題】主電源からの電源供給が遮断された際に、適切かつ確実に記憶手段への書き込み保存を可能とする画像形成装置を提供する。【解決手段】予備電源５として、一次電池５Ａと並列に接続された熱電変換手段５Ｂを備え、熱電変換手段５Ｂは、定着装置の上面に取り付けられた熱電変換素子５Ｂ１を備えている。定着装置の加熱ローラから発生する熱エネルギーは、画像形成装置の主電源である交流電源６が遮断されて、定着装置の加熱ローラからの発熱が停止されても、比較的高温の状態で暫くの間継続される。この加熱ローラからの放熱による熱エネルギーを熱電変換手段５Ｂによって電気エネルギーに変換して、予備電源として利用すれば、主電源の遮断に伴うＮＶＲＡＭ９Ｂやハードディスク装置９Ｃへのデータ書き込み保存の停止を防止する予備電源として十分に利用できる。【選択図】図３
2011145466.tif 000002
【特許請求の範囲】
【請求項１】
熱によりトナーを定着させる定着装置と、データを保存する記憶手段とを備えた画像形成装置において、
前記定着装置から発生する熱エネルギーを電気エネルギーに変換する熱電変換手段を備え、当該熱電変換手段から発電する電源と、一次電池とを予備電源とし、前記記憶手段を作動させる主電源が遮断された後に、当該記憶手段に保存されるべきデータを当該記憶手段に保存するまでの間、前記予備電源から前記記憶手段に電源を供給して当該記憶手段を作動させることを特徴とする画像形成装置。
【請求項２】
請求項１記載の画像形成装置において、
前記記憶手段として、不揮発性ＲＡＭを備えることを特徴とする画像形成装置。
【請求項３】
請求項１又は２記載の画像形成装置において、
前記記憶手段として、ハードディスク装置を備えることを特徴とする画像形成装置。
【請求項４】
請求項１乃至３のいずれか１項記載の画像形成装置において、
前記熱電変換手段から発生する電源は、当該熱電変換手段から発生する電気エネルギーを蓄電する蓄電手段を備えることを特徴とする画像形成装置。
【発明の詳細な説明】
【技術分野】
【０００１】
本発明は、画像形成装置に係り、特に、熱によりトナーを定着させる定着装置と、データを保存する記憶手段とを備えた画像形成装置に関する。
【背景技術】
【０００２】
プリンタやファクシミリ、複写機等の画像形成装置として、所望の画像データに基づいてトナー像を形成する画像形成装置が汎用されている。そして、この画像データは、画像形成処理を行う際に、不揮発性ＲＡＭ（ＮＶＲＡＭ）やハードディスク装置等の記憶手段に、書き込み保存され、この記憶手段から画像データを読み出して画像形成処理が行われるようになっている。
【０００３】
このような画像形成装置においては、画像データをＮＶＲＡＭやハードディスク装置等の記憶手段に書き込み中に、画像形成装置を作動させる主電源をメインスイッチにより遮断した場合、正常なデータがＮＶＲＡＭまたはハードディスク装置に書き込まれないことになる。このような不正状態で画像形成装置が再作動されると、ＮＶＲＡＭ、ハードディスク装置には、断片となったデータが存在するため、ＮＶＲＡＭまたはハードディスク装置から正常にデータを読み込みできず、画像形成装置は起動できなくなってしまう。これを防止するため、記憶手段等に電源を供給するマザーボード上の電源が故障した場合にマザーボード上の電源がダウンする前に外部電源から給電されている予備電源に切り替えることによって、システムダウンを防止することが提案されている。（例えば、特許文献１参照）
【０００４】
しかしながら、この特許文献１記載のものでは、ＮＶＲＡＭ、ハードディスク装置のデータ保存用の予備電源として一次電池を使用する場合には、十分な予備電源としての機能を発揮しない場合があった。即ち、電池を長期間保守部品として保管したために、電池が劣化して電池の容量が減ってしまう場合があり、このような劣化した電池を保守部品として交換したときに、電池の容量が不足して、ＮＶＲＡＭ、ハードディスク装置に必要なデータを書き込み保存することができない場合が発生するという問題があった。
【０００５】
一方、特許文献２には、装置の主電源が遮断された状態でも、その最低限動作を維持することが可能な画像形成装置を提供する目的で、画像形成装置の定着装置のヒーターの熱を利用して熱電変換手段を使用して電気エネルギーを発生させ、その電気エネルギーを主電源が遮断された後の補助電源として使用する技術が開示されている。しかしながら、この特許文献２記載のものでは、主電源が遮断された後の補助電源として使用する電源としては、熱電変換手段だけを使用するものであり、ヒーターが所定の温度に達していない状態で記憶手段にデータの書き込みが行われると、電源供給不足により、データの書き込みが正常に行われない場合があった。
【発明の概要】
【発明が解決しようとする課題】
【０００６】
本発明は、上記実情を考慮してなされたものであり、主電源からの電源供給が遮断された際に、適切かつ確実に記憶手段への書き込み保存を可能とする画像形成装置を提供することを目的とする。
【課題を解決するための手段】
【０００７】
上記課題を解決するために、請求項１に記載の発明は、熱によりトナーを定着させる定着装置と、データを保存する記憶手段とを備えた画像形成装置において、
前記定着装置から発生する熱エネルギーを電気エネルギーに変換する熱電変換手段を備え、当該熱電変換手段から発電する電源と、一次電池とを予備電源とし、前記記憶手段を作動させる主電源が遮断された後に、当該記憶手段に保存されるべきデータを当該記憶手段に保存するまでの間、前記予備電源から前記記憶手段に電源を供給して当該記憶手段を作動させることを特徴とする。
【０００８】
また、請求項２の発明は、請求項１記載の画像形成装置において、
前記記憶手段として、不揮発性ＲＡＭを備えることを特徴とする。
【０００９】
また、請求項３の発明は、請求項１又は２記載の画像形成装置において、
前記記憶手段として、ハードディスク装置を備えることを特徴とする。
【００１０】
また、請求項４の発明は、請求項１乃至３のいずれか１項記載の画像形成装置において、
前記熱電変換手段から発生する電源は、当該熱電変換手段から発生する電気エネルギーを蓄電する蓄電手段を備えることを特徴とする。
【発明の効果】
【００１１】
本発明によれば、定着装置から発生する熱エネルギーを電気エネルギーに変換する熱電変換手段を備え、当該熱電変換手段から発電する電源と、一次電池とを予備電源とし、前記記憶手段を作動させる主電源が遮断された後に、当該記憶手段に保存されるべきデータを当該記憶手段に保存するまでの間、前記予備電源から前記記憶手段に電源を供給して当該記憶手段を作動させることによって、主電源からの電源供給が遮断された際に、適切かつ確実に記憶手段への書き込み保存を可能とする画像形成装置を提供することができる。
【図面の簡単な説明】
【００１２】
【図１】本発明による一実施形態に係る画像形成装置の概略構成を示す平面図である。
【図２】従来の画像形成装置の電源装置の概略構成を示すブロック図である。
【図３】本発明による一実施形態に係る画像形成装置に使用される電源装置の概略構成を示すブロック図である。
【図４】本発明による一実施形態に係る画像形成装置に使用される電源装置の予備電源の一つである熱電変換手段を取り付けた定着装置の斜視図と予備電源を示すブロック図とを示す図である。
【図５】本発明による他の実施形態に係る画像形成装置の予備電源のブロック図である。
【図６】図５で示す予備電源を使用した場合のフローチャート図である。
【発明を実施するための形態】
【００１３】
以下、この発明を実施するための一実施形態について、図面を参照して詳細に説明する。まず、図１に基づいて、本発明による一実施形態に係る画像形成装置について説明する。図１は、本発明による一実施形態に係る画像形成装置の概略構成を示す平面図である。
【００１４】
図１において、装置中央部に、一方が回転駆動する支持ローラ１７Ａ、１７Ｂに張架された無端状の搬送ベルト１８が配置されており、搬送ベルト１８は、一方が回転駆動する支持ローラ１７Ａ、１７Ｂの回転駆動によって、矢印Ａ方向に移送され、記録材としての用紙Ｐを矢印Ａ方向に移送するようになっている。搬送ベルト１８の上面には、シアン、マゼンタ、イエロー、黒のトナー像を作像する作像装置２２Ｃ、２２Ｍ、２２Ｙ、２２Ｋが配置されている。これらの作像装置２２Ｃ、２２Ｍ、２２Ｙ、２２Ｋは、図示しない駆動モータによって回転駆動されるドラム状の感光体１９Ｃ、１９Ｍ、１９Ｙ、１９Ｋと、これらの感光体１９Ｃ、１９Ｍ、１９Ｙ、１９Ｋの表面を一様に帯電させる帯電ローラ２０と、感光体１９Ｃ、１９Ｍ、１９Ｙ、１９Ｋ上に形成された静電潜像にシアン、マゼンタ、イエロー、黒の各トナーを供給して、当該静電潜像をシアン、マゼンタ、イエロー、黒のトナー像に現像する現像装置２１Ｃ、２１Ｍ、２１Ｙ、２１Ｋとを備えている。さらに、転写ローラ２５によって、感光体１９Ｃ、１９Ｍ、１９Ｙ、１９Ｋ上に形成されたシアン、マゼンタ、イエロー、黒のトナー像を用紙Ｐ上に転写後に感光体１９Ｃ、１９Ｍ、１９Ｙ、１９Ｋ上に残存するトナーを感光体１９Ｃ、１９Ｍ、１９Ｙ、１９Ｋ表面から除去、クリーニングするクリーニング装置２７を備えている。
【００１５】
また、それら作像装置２２Ｃ、２２Ｍ、２２Ｙ、２２Ｋの上方には、シアン、マゼンタ、イエロー、黒の画像情報に応じた露光ＬＣ、ＬＭ、ＬＹ、ＬＫを感光体１９Ｃ、１９Ｍ、１９Ｙ、１９Ｋの表面に照射して、シアン、マゼンタ、イエロー、黒の画像情報に応じた静電潜像を感光体１９Ｃ、１９Ｍ、１９Ｙ、１９Ｋ上に形成する露光手段２３が配置されている。また、搬送ベルト１８の下流（図の左方）には、用紙Ｐ上に転写されたトナー像を用紙Ｐ上に定着する定着装置１５と、このようにして定着された用紙Ｐを排出する用紙排出手段２４が配置されている。画像形成装置下部には、所定サイズの用紙Ｐを積層して溜めておく用紙保持手段１６、用紙供給手段２８及びレジストローラ２６が配置されている。
【００１６】
このような構成において、帯電ローラ２０は、各作像装置２２Ｋ〜２２Ｃ毎に感光体１９Ｃ、１９Ｍ、１９Ｙ、１９Ｋの表面を一様に帯電させる。次に、パソコン、イメージスキャナなどによる画像、文字の画像データを露光手段２３によりドット単位で露光が行われ、一様に帯電された感光体１９Ｃ、１９Ｍ、１９Ｙ、１９Ｋの表面に静電潜像を形成させる。その後、シアン、マゼンタ、イエロー、黒の画像データに応じた静電潜像は、現像装置２１Ｃ、２１Ｍ、２１Ｙ、２１Ｋによりシアン、マゼンタ、イエロー、黒のトナーが供給、現像されることでそれぞれの感光体１９Ｃ、１９Ｍ、１９Ｙ、１９Ｋ上に各色のトナー像として可視化される。
【００１７】
さらに、感光体１９Ｃ、１９Ｍ、１９Ｙ、１９Ｋ上のトナー像形成にあわせて、用紙供給手段２８によって用紙保持手段１６から繰り出された用紙Ｐがレジストローラ２６によってタイミングをあわせて搬送ベルト１８に搬送される。そして、搬送ベルト１８上に静電気によって保持された用紙Ｐは、搬送ベルト１８の移送と共に、各作像装置の感光体１９Ｃ、１９Ｍ、１９Ｙ、１９Ｋと順次接触し、転写ローラ２５から転写バイアスが印加されることによって、各感光体１９Ｃ、１９Ｍ、１９Ｙ、１９Ｋ上に形成された各色のトナー像が用紙Ｐ上に積重して転写される。その結果、用紙Ｐ上に４色のカラートナー像が形成される。このようにしてカラートナー像が転写された用紙Ｐは、搬送ベルト１８から定着装置１５に運ばれる。そして、用紙Ｐ上のカラートナー像は、定着装置１５で、加熱ローラ４で加熱された定着ベルト２で加熱された定着ローラ３によって加熱され、定着ローラ３と圧接する加圧ローラ１によって加圧されて用紙Ｐ上に定着され、用紙排出装置２３によって排出される。
【００１８】
一方、上記のようにして、用紙Ｐ上にトナー像を転写した感光体１９Ｃ、１９Ｍ、１９Ｙ、１９Ｋ上に残存したトナーは、クリーニング装置２７で除去される。そして、クリーニングされた感光体１９Ｃ、１９Ｍ、１９Ｙ、１９Ｋは、初期状態に戻って、次の作像動作に備え、同様にして作像動作が繰返される。
【００１９】
このような画像形成装置は、従来、図２に示すような電源装置を使用して作動されている。図２は、従来の画像形成装置の電源装置の概略構成を示すブロック図である。
【００２０】
従来の画像形成装置の電源装置は、図２に示すように、主電源である１００Ｖ或いは２００Ｖの商用の交流電源６からメインスイッチ７を介して交流を直流に整流すると共に、例えば、５Ｖ等の所定電圧を形成する直流電源８を備えている。そして、直流電源８から上述のような画像形成処理を制御するＣＰＵ９Ａや、画像データを一時的に保存する記憶手段の一つであるＮＶＲＡＭ９Ｂを搭載したコントローラボード９に所定電圧の電源を供給するようになっている。また、コントローラボード９から送給される画像データ等を記憶保存する他の記憶手段であるハードディスク装置９Ｃがコントローラボード９と配線９Ｃ１によって接続されている。
【００２１】
また、メインスイッチ７を介して送給される交流は、定着装置１５の加熱ローラ４のヒータを加熱するヒーター加熱手段４Ａに送給され、コントローラボード９上のＣＰＵ９Ａによって制御されて加熱ローラ４の温度制御が行なわれ、約２００℃の温度でトナーを定着するようになっている。
【００２２】
また、この電源装置は、一次電池５Ａからなる予備電源を備えており、メインスイッチ７が遮断された際に、その遮断を交流電源遮断検出手段１２で検出して予備電源である一次電池５Ａからコントローラボード９に所定電圧の直流電源を供給するようになっている。即ち、メインスイッチ７がオフになったとき、または停電などによって交流電源６が遮断された場合には、交流電源遮断検出手段１２によって交流電源が遮断されたことが検出される。交流電源が遮断されたことが交流電源遮断検出手段１２によって検出された際に、交流電源遮断検出手段１２は、スイッチ手段１０にスイッチオフ信号１１を出力する。スイッチ手段１０は、スイッチオフ信号１１を元に、スイッチ手段１０をオンにし、直流電源８に並列に接続されている一次電池５Ａにより、所定の直流電圧をコントローラボード９に供給する。これにより、一次電池５Ａにより直流電源が供給され続けるようになるため、画像形成装置の主電源である交流電源が遮断された後でも、ＮＶＲＡＭ９Ｂはデータを正常に保存し続けることが可能となる。ＮＶＲＡＭ９Ｂのデータ保存が終了すると、コントローラボード９は、交流電源遮断検出手段１２にデータ保存終了信号１３を送信する。データ保存終了信号１３を受信した交流電源遮断検出手段１２は、スイッチ手段１０にコントローラシャットダウン要求信号１４を出力することで、スイッチ手段１０はオフ状態になり、画像形成装置は正常にシャットダウンできる。同様に、ＮＶＲＡＭ９Ｂばかりでなく、ハードディスク装置９Ｃにおいても、データを正常に保存できるようになる。
【００２３】
このようにして、従来の電源装置は、不慮に交流電源６が遮断された場合においても、予備電源である一次電池５Ａを使用して、ＮＶＲＡＭ９Ｂやハードディスク装置９Ｃへのデータ書き込み保存を適切に行わせることによって、画像形成装置を正常にシャットダウンさせることが可能となっている。しかしながら、一次電池５Ａの交換時期に達したために、保守部品として長期期間保管されていた一次電池５Ａと交換した場合、長期間保管していたために、交換用の一次電池５Ａが劣化して容量が減り、所定電圧の直流をコントローラボード９に供給できない場合がある。この場合、容量不足の直流電源のために、ＮＶＲＡＭ９Ｂやハードディスク装置９Ｃへのデータ書き込み保存を適切に行うことができなかったりする問題を招く。さらに、この交換用一次電池５Ａは使用できないため、他の交換用電池５Ａを使用せざるを得ず、そのため、有効な他の交換用電池５Ａを探さなければならず、有効な他の交換用電池５Ａを探す間、一時的に画像形成動作を停止させなければならず迅速性に欠ける点があった。
【００２４】
そこで、本発明においては、検討の結果、画像形成装置で使用されている定着装置１５の熱エネルギーを利用して、一次電池５Ａをバックアップする電源を備えた予備電源を使用するようにした。即ち、定着装置１５の加熱ローラ４から発生する熱エネルギーは、画像形成装置の主電源である交流電源６が遮断されて、定着装置１５の加熱ローラ４からの発熱が停止されても、比較的高温の状態で暫くの間継続される。この加熱ローラ４からの放熱による熱エネルギーに着目し、この熱エネルギーを電気エネルギーに変換して、予備電源として利用すれば、主電源の遮断に伴うＮＶＲＡＭ９Ｂやハードディスク装置９Ｃへのデータ書き込み保存の停止を防止する予備電源として十分に利用できることを究明し、本発明を完成させるに至った。
【実施例】
【００２５】
図３及び図４に基づいて、本発明による一実施形態に係る画像形成装置に使用される電源装置について説明する。図３は、本発明による一実施形態に係る画像形成装置に使用される電源装置の概略構成を示すブロック図である。図４は、本発明による一実施形態に係る画像形成装置に使用される電源装置の予備電源の一つである熱電変換手段を取り付けた定着装置の斜視図と予備電源を示すブロック図とを示す図である。この実施形態に係る電源装置は、前述の従来の電源装置と基本構成は、同一のため、同一構成については、同一符号を付して説明を省略する。
【００２６】
この実施形態に係る電源装置は、図３に示すように、前述の図２で示す従来の電源装置とは、予備電源５として、一次電池５Ａと並列に接続された熱電変換手段５Ｂを備える点が相違している。そして、熱電変換手段５Ｂは、図４に示すように、定着装置１５の図示しない加熱ローラ４に近接して定着装置１５の上面に取り付けられた熱電変換素子５Ｂ１を備えている。ここで熱電変換素子５Ｂ１に大きな温度差を与えるために、熱電変換素子５Ｂ１は、直接、定着装置１５のフレーム上に設置する。熱電変換素子５Ｂ１は、ゼーベック効果により、熱エネルギーを直接電気エネルギーに変換し、端子５Ｃに所定電圧を発生するものである。なお、端子５Ｃからは、スイッチ手段１０の端子１０Ａに接続されてコントローラボード９に所定電圧を供給可能となっている。
【００２７】
そのため、定着装置１５の加熱ローラ４から放射される熱エネルギーを熱電変換素子５Ｂ１で電気エネルギーに変換して所定電圧の直流電源を生成することができる。この場合、画像形成装置の主電源である交流電源６が遮断されて、定着装置１５の加熱ローラ４からの発熱が停止されても、加熱ローラ４から放射される熱エネルギーは、比較的高温の状態で暫くの間継続される。この放熱エネルギーを利用することによって、一次電池５Ａが劣化して、一次電池５Ａから所定電圧の直流をコントローラボード９に供給できない場合でも、熱電変換素子５Ｂ１で発生する直流電源をコントローラボード９に供給して、ＮＶＲＡＭ９Ｂやハードディスク装置９Ｃを適切に作動させて、所望のデータを保存することが可能となる。
【００２８】
次に、本発明による他の実施形態について、図５及び図６に基づいて説明する。図５は、本発明による他の実施形態に係る画像形成装置の予備電源のブロック図である。図６は、図５で示す予備電源を使用した場合のフローチャート図である。
【００２９】
この実施形態に係る画像形成装置の電源装置の予備電源は、図５に示すように、一次電池５Ａと、熱電変換素子５Ｂ１と、熱電変換素子５Ｂ１から送給される直流電源を蓄電する蓄電手段である二次電池等からなる蓄電池５Ｂ２とを備えている。従って、熱電変換素子５Ｂ１から発電された直流電源は、蓄電池５Ｂ２に蓄電することが可能となり、画像形成処理時に作動される加熱ローラ４の発熱による熱エネルギーによって発電される直流電源が蓄電池５Ｂ２に蓄電されることになる。その結果、一次電池５Ａが劣化して、一次電池５Ａから所定電圧の直流をコントローラボード９に供給できない場合でも、熱電変換素子５Ｂ１で発生する直流電源と共に、蓄電池５Ｂ２から所定電圧をコントローラボード９に供給して、より安定してＮＶＲＡＭ９Ｂやハードディスク装置９Ｃを適切に作動させて、所望のデータを保存することが可能となる。なお、本発明においては、蓄電手段として蓄電池５Ｂ２以外に電気キャパシタ等も使用することができる。
【００３０】
次に、図６を用いて本実施形態に係る画像形成装置の動作シーケンスを説明する。先ず、画像形成装置の主電源である交流電源６のメインスイッチ７をオンにすると、定着装置１５の加熱ローラ４が発熱する（ステップＳ００１）。加熱ローラ４の発熱と共に、加熱ローラ４の近傍に配設された熱電変換素子５Ｂ１によって電気エネルギーに変換して直流電圧を発電する（ステップＳ００２）。続いて、このようにして熱電変換素子５Ｂ１によって発電された直流電圧を蓄電手段５Ｂ２に蓄電する（ステップＳ００３１）その後、ステップＳ００５において、メインスイッチ７がオフまたは交流電源６が停電などによって遮断されたかどうかが判断される。ＮＯの場合には、ステップＳ００１に戻り、ステップＳ００２及びステップＳ００３が繰り返される。
【００３１】
ステップＳ００５においてＹＥＳと判断された場合には、交流電源遮断検出手段１２が作動してスイッチ手段１０がオンとなる（ステップＳ００５）。そして、予備電源５からコントローラボード９に所定電圧が供給される（ステップＳ００６）。続いてステップＳ００７において、ＮＶＲAM９Ｂへのデータ保存（退避）が終了したか否かが判断される。ＮＯの場合には、ステップＳ００６に戻り、予備電源５からコントローラボード９への直流電源の供給が続けられる。ステップＳ００７において、ＹＥＳと判断された場合には、コントローラボード９からデータ保存終了信号が交流電源遮断検出手段１２に送給され、交流電源遮断検出手段１２からスイッチ手段１０にコントローラシャットダウン要求信号１４が送給されてスイッチ手段１０をオフとする。
【００３２】
この場合、予備電源５は、一次電池５Ａと熱電変換素子５Ｂ１から発電された電気エネルギーを蓄電する蓄電手段である蓄電池５Ｂ２を備えている。そのため、この予備電源５として、一次電池５Ａだけでなく熱電変換素子５Ｂ１及び蓄電池５Ｂ２からも所定電圧がコントローラボード９に供給されるため、一次電池５Ａが劣化したとしても、適切に、熱電変換素子５Ｂ１及び蓄電池５Ｂ２によって適切にかつ安定してバックアップすることが可能となり、ＮＶＲＡＭ９Ｂ等の記憶手段へのデータの保存を適切に行うことが可能となる。この場合、定着装置１５が十分に加熱されていないために、熱電変換素子５Ｂ１からの発電量が少ない場合であっても、蓄電池５Ｂ２がバックアップするために、瞬時に適切な直流電源をコントローラボード９に供給してＮＶＲＡＭ９Ｂに対して安定して供給が可能となる。
【００３３】
なお、ステップＳ００６にてＮＶＲＡＭ９Ｂの代わりに記憶手段としてハードディスク装置９Ｃドライブ１０が使用される場合でも、同様にステップＳ００６にてハードディスクド装置９Ｃへデータの保存が完了したかどうかが判断される。ここでハードディスクド装置９Ｃへデータの保存が完了されたと判断されれば、ステップＳ００６にてコントローラボード９からデータ保存終了信号を受信し、コントローラボード９のシャットダウンコマンドが出され、スイッチ手段１０がオフとなる。そして、画像形成装置への電源供給はなくなり、画像形成装置はシャットダウンできる。ステップＳ００６にてハードディスク装置９Ｃへのデータ保存が完了されないと判断されれば、引き続き予備電池５から直流電源をコントローラボード９へ供給し続ける。
【００３４】
以上により、本発明による画像形成装置の電源装置は、交流電源６が遮断した時の予備電源として一次電池５Ａと並列に接続された定着装置１５の熱を使用して熱電変換素子５Ｂ１によって発電された直流電源を使用することにより、保守部品として長期期間保管されていた交換用一次電池が交換後に使用できなかった場合にも、適切に対処することが可能となる。その結果、交流電源６が遮断された後にコントローラボード９を駆動させる予備電源５として有効に使用でき、ＮＶＲＡＭ９Ｂ、ハードディスク装置９Ｃの破損防止することが可能となる。さらに、通常の交流電源６の遮断、停電だけではなく、雷サージによる交流電源の瞬断の際にも、予備電源５が有効に作動してＮＶＲＡＭ９Ｂ、ハードディスク装置９Ｃの破損防止することが可能となる。
【符号の説明】
【００３５】
１    加圧ローラ
２    定着ベルト
３    定着ローラ
４    加熱ローラ
４Ａ  ヒーター加熱手段
５    予備電源
５Ａ  一次電池
５Ｂ  熱電変換手段
５Ｂ１熱電変換素子
５Ｂ２蓄電池
６    交流電源
７    メインスイッチ
８    直流電源
９    コントローラボード
９Ａ  ＣＰＵ
９Ｂ  ＮＶＲＡＭ
９Ｃ  ハードディスク装置
１０  スイッチ手段
１１  スイッチオフ信号
１２  交流電源遮断検出手段
１３  データ保存終了信号
１４  コントローラシャットダウン要求信号
１５  定着装置
１６  用紙保持手段
１７Ａ、１７Ｂ  支持ローラ
１８  搬送ベルト
１９Ｃ、１９Ｍ、１９Ｙ、１９Ｋ  感光体ドラム
２０  帯電ローラ
２１Ｃ、２１Ｍ、２１Ｙ、２１Ｋ  現像装置
２２Ｃ、２２Ｍ、２２Ｙ、２２Ｋ  作像装置
２３  露光手段
２４  用紙排出手段
２５  転写ローラ
２６  レジストローラ
２７  クリーニング装置
２８  用紙供給手段
【先行技術文献】
【特許文献】
【００３６】
【特許文献１】特開２００８−２２６０６５号公報
【特許文献２】特開２００６−７８９１９号公報
【図１】
2011145466.tif 000003
【図２】
2011145466.tif 000004
【図３】
2011145466.tif 000005
【図４】
2011145466.tif 000006
【図５】
2011145466.tif 000007
【図６】
2011145466.tif 000008